(57)【要約】【課題】就寝中の人体の肩部付近を覆うことができるとともに、他人の手助けを必要とせずに１人で容易に寝るための準備をすることが可能な寝具を提供する。【解決手段】左用寝具１０は、就寝中の人体の左肩を覆うための肩当て部を有し、右用寝具２０は、就寝中の人体の右肩を覆うための肩当て部を有する。固定用具３０は、クリップ等の固定部材により、右用寝具２０の肩当て部の上端および左用寝具１０の肩当て部の上端をそれぞれ脱着可能なように固定するような構成となっている。固定腰部３０の押さえ板は、敷布団と床との間に挿入される。【選択図】図５
2013078461.tif 000002
【特許請求の範囲】
【請求項１】
就寝中の人体の右肩を覆うための肩当て部を有する右用寝具と、
就寝中の人体の左肩を覆うための肩当て部を有する左用寝具と、
前記右用寝具の肩当て部の上端および前記左用寝具の肩当て部の上端をそれぞれ脱着可能なように固定する固定用具と、
を有する寝具。
【請求項２】
前記右用寝具および前記左用寝具は、就寝中の人体の上半身のみを覆うような長さに設定されている請求項１記載の寝具。
【請求項３】
前記固定用具は、
一部が敷布団の下に潜り込ませるようになっている台座部と、
弾性部材により前記台座部に対して押し付けられるように付勢された第１および第２の固定部材とにより構成され、
前記第１の固定部材は、前記右用寝具の肩当て部の上端を前記台座部に固定し、前記第２の固定部材は前記左用寝具の肩当て部の上端を前記台座部に固定する請求項１または２記載の寝具。
【請求項４】
就寝中の第１の人体の右肩を覆うための肩当て部を有する右用寝具と、
就寝中の前記第１の人体の左肩および就寝中の第２の人体の右肩を覆うための肩当て部を有する中央用寝具と、
就寝中の前記第２の人体の左肩を覆うための肩当て部を有する左用寝具と、
前記右用寝具の肩当て部の上端、前記中央用寝具の肩当て部の上端および前記左用寝具の肩当て部の上端をそれぞれ脱着可能なように固定する固定用具と、
を有する寝具。
【発明の詳細な説明】
【技術分野】
【０００１】
本発明は、掛布団や毛布、タオルケット等の寝具に関し、特に、就寝中の人体の肩部を保温するための寝具に関する。
【背景技術】
【０００２】
一般的な長方形の掛布団や毛布を使用すると、肩部の周辺において掛布団や毛布と敷布団との間に隙間が生じてしまい、この隙間から冷気が侵入したり肩部に冷気があたって肩が冷えてしまうという問題が発生する。特に東北地方や北海道、標高の高い地域では冬期の夜間における冷え込みは厳しいものがあり、就寝時に肩を冷やすと風邪をひいたり、寒くて夜中に目が覚めてしまという問題があった。
【０００３】
このような問題を解決するために、肩部に覆いを設けるようにして肩が冷気にさらされたり肩部周辺の敷布団と掛布団の隙間から冷気が侵入することを防ぐようにした毛布等の寝具が開示されている（例えば、特許文献１〜７）。
【０００４】
しかし、このような従来の寝具では、単に肩部を覆うようにしただけであるため、圧迫感等は少ないものの、寝ている間に寝返り等をした場合に、肩部が覆いから出てしまったり隙間が生じてしまう等の問題があった。
【０００５】
このような問題を解消するために、肩部を覆うための肩カバー等を枕に取り付けたり、敷き布団で押さえるようにした寝具も提案されている（例えば、特許文献８、９）。
【先行技術文献】
【特許文献】
【０００６】
【特許文献１】特開２００１−１７２９４号公報
【特許文献２】特開平１１−１９２１４６号公報
【特許文献３】実用新案登録第３０３２２１１号公報
【特許文献４】特開平７−２７５１０２号公報
【特許文献５】特開平７−１５５２４７号公報
【特許文献６】特開２００７−１９０１２３号公報
【特許文献７】特開２００４−７３７６７号公報
【特許文献８】実用新案登録第３１１０３８０号公報
【特許文献９】実開平７−５４６８号公報
【発明の概要】
【発明が解決しようとする課題】
【０００７】
しかし、上記のような従来の寝具では、就寝中の人体の肩部付近を覆うことが可能ではあるが、肩カバーを固定したり、敷き布団で押さえるためには非常に煩わしい手間が発生するという問題がある。また、特に、自分１人で肩カバーの装着が困難な場合には、他人の手助けが必要になり就寝の準備に非常に手間がかかってしまう。
【０００８】
例えば、上記特許文献８記載の寝具では、肩付近を包み入れる筒状部の取付部を、枕の前部上下面左右よりに取り付けるようにした寝具が開示されている。しかし、この筒状部を枕に取り付けるためには、使用者が布団に入った仰向けの状態で、頭部の後ろにおいて取付部を枕に固定する必要があり、非常に煩わしい手間が発生する。
【０００９】
また、この特許文献８記載の寝具では、肩部を筒状部により覆う必要があるため、使用者は、就寝中に肩付近の圧迫感を感じるという問題もある。
【００１０】
また、上記特許文献９記載の肩あて付き毛布では、肩を包み込むための肩あて部を敷布団にて押さええて使用するようになっている（特許文献９の図３）。しかし、この肩あて部を敷布団によって押さえるためには面ファスナーのついた肩あて部を敷布団の下に潜り込ませるような煩わしい作業を行う必要がある。例えば、仰向け状態で寝ようとした場合、手探りで肩あて部を敷布団の下に潜り込ませなければならず寝るための準備が非常に煩わしいものとなってしまう。
【００１１】
上記事情に鑑み、本発明は、就寝中の人体の肩部付近を覆うことができるとともに、他人の手助けを必要とせずに１人で容易に寝るための準備をすることが可能な寝具を提供することを目的とする。
【課題を解決するための手段】
【００１２】
本発明の寝具は、就寝中の人体の右肩を覆うための肩当て部を有する右用寝具と、
就寝中の人体の左肩を覆うための肩当て部を有する左用寝具と、
前記右用寝具の肩当て部の上端および前記左用寝具の肩当て部の上端をそれぞれ脱着可能なように固定する固定用具とを有する。
【００１３】
本発明の寝具は、右用寝具と左用寝具というように左右が完全に分離している。そして、この右用寝具と左用寝具がともに固定用具に固定可能なようになっている。そのため、本発明によれば、就寝しようとする使用者は、右用寝具と左用寝具をそれぞれ固定用具に固定させた後に、敷布団の上に横になってから寝るための準備をすることができるため、就寝中の人体の肩部付近を覆うことができるとともに、他人の手助けを必要とせずに１人で容易に寝るための準備をすることが可能になる。
【００１４】
また、本発明の寝具では、前記右用寝具および前記左用寝具を、就寝中の人体の上半身のみを覆うような長さに設定するようにしても良い。
【００１５】
本発明によれば、右用寝具、左用寝具が上半身のみを覆うような長さに設定されていることにより自分の体に右用寝具、左用寝具を被せることがより簡単になるため、他人の手を借りることなく１人でより容易に寝るための準備をすることができるようになる。
【００１６】
さらに、本発明の寝具では、前記固定用具を、
一部が敷布団の下に潜り込ませるようになっている台座部と、
弾性部材により前記台座部に対して押し付けられるように付勢された第１および第２の固定部材とにより構成し、
前記第１の固定部材は、前記右用寝具の肩当て部の上端を前記台座部に固定し、前記第２の固定部材は前記左用寝具の肩当て部の上端を前記台座部に固定するようにしても良い。
【００１７】
本発明によれば、台座部の一部を敷布団の下に潜り込ませることにより就寝中の人体の重さで動かないように固定されるため、固定用具の重量を大きくすることなく右用寝具、左用寝具を確実に固定することが可能となる。
【００１８】
また、本発明の他の寝具は、就寝中の第１の人体の右肩を覆うための肩当て部を有する右用寝具と、
就寝中の前記第１の人体の左肩および就寝中の第２の人体の右肩を覆うための肩当て部を有する中央用寝具と、
就寝中の前記第２の人体の左肩を覆うための肩当て部を有する左用寝具と、
前記右用寝具の肩当て部の上端、前記中央用寝具の肩当て部の上端および前記左用寝具の肩当て部の上端をそれぞれ脱着可能なように固定する固定用具とを有する。
【００１９】
本発明は、２人の使用者が１つの寝具を共用して就寝する、いわゆるダブルの寝具に適用したものであり、シングルの寝具と同様に、他人の手助けを必要とせずに１人で容易に寝るための準備をすることが可能になる。
【発明の効果】
【００２０】
本発明によれば、就寝中の人体の肩部付近を覆うことができるとともに、他人の手助けを必要とせずに１人で容易に寝るための準備をすることが可能な寝具を提供することができる。
【図面の簡単な説明】
【００２１】
【図１】本発明の第１の実施形態の寝具の構成を示す図である。
【図２】図１中の右用寝具２０の構成を示す図（図２（Ａ））および、左用寝具１０の構成を示す図（図２（Ｂ））である。
【図３】図１中の固定用具３０の構成を説明するための図である。
【図４】固定用具３０において、押さえ板３４、３５が台座部３１の下側に収納されている状態を示す図である。
【図５】本発明の第１の実施形態の寝具を実際に使用した際の様子を説明するための斜視図である。
【図６】図５の斜視図におけるＡ−Ａ’面の断面図である
【図７】本発明の第２の実施形態の寝具の構成を示す図である。
【図８】図７中の中央用寝具７０の構成を示す図である。
【図９】図７中の固定用具８０の構成を説明するための図である。
【図１０】本発明の第２の実施形態の寝具を実際に使用した際の様子を説明するための斜視図である。
【発明を実施するための形態】
【００２２】
次に、本発明の実施の形態について図面を参照して詳細に説明する。
【００２３】
（第１の実施形態）
先ず、本発明の第１の実施形態の寝具について説明する。図１は本発明の一実施形態の寝具を示す図である。
【００２４】
本実施形態の寝具は、図１に示されるように、左用寝具１０と、右用寝具２０と、固定用具３０とから構成されている。
【００２５】
左用寝具１０は、就寝中の人体の左肩を覆うための肩当て部を有し、右用寝具２０は、就寝中の人体の右肩を覆うための肩当て部を有する。なお、この左用寝具１０、右用寝具２０の構成の詳細については後述する。
【００２６】
固定用具３０は、右用寝具２０の肩当て部の上端および左用寝具１０の肩当て部の上端をそれぞれ脱着可能なように固定するような構成となっている。この固定用具３０の構成の詳細についても後述する。
【００２７】
先ず、左用寝具１０、右用寝具２０の構成の詳細を図２を参照して説明する。図２（Ａ）は右用寝具２０を示し、図２（Ｂ）は左用寝具１０を示している。
【００２８】
図２（Ａ）に示されるように、右用寝具２０には、就寝中の人体の右肩を覆うための肩当て部２１が設けられている。また、図２（Ｂ）に示されるように、左用寝具１０には、就寝中の人体の左肩を覆うための肩当て部１１が設けられている。
【００２９】
そして、この右用寝具２０および左用寝具１０は、それぞれ、就寝中の人体の上半身のみを覆うような長さに設定されている。このように就寝中の人体の全身を覆う長さではなく、上半身のみを覆うような長さに設定されていることにより、寝ようとして敷布団の上に横になっている使用者が自分１人で身づくろいをして寝るための準備をすることが容易になる。
【００３０】
この右用寝具２０および左用寝具１０は、羊毛や木綿からなるいわゆる毛布のような生地により構成しても良いし、中綿の入ったキルティングのような材料により構成するようにしてもよい。また、右用寝具２０および左用寝具１０は、タオルケットのような薄い生地により構成することも可能である。
【００３１】
例えば、気温の高い夏場には、右用寝具２０および左用寝具１０をタオルケットにより構成することにより、肩が冷えることを防止するようにし、気温の低い冬場には、右用寝具２０および左用寝具１０を、中綿の入った厚めの生地により構成することにより肩が冷えることを防止するようにすればよい。
【００３２】
次に、図１中に示した固定用具３０の構成を図３、図４を参照して説明する。
【００３３】
この固定用具３０は、図３に示されるように、台座部３１と、この台座部３１の上面に設けられた２つのクリップ（固定部材）３２、３３と、台座部３１の下面に設けられた押さえ板３４、３５とから構成されている。
【００３４】
台座部３１は、例えば、薄い樹脂製の板により構成されている。そして、クリップ３２、３３は、それぞれ、バネ等の弾性部材により台座部３１に対して押し付けられるように付勢されている。そして、クリップ３２は、左用寝具１０の上端を挟むことにより台座部３１に固定し、クリップ３３は右用寝具２０の上端を挟むことにより台座部３１に固定する。
【００３５】
また、押さえ板３４、３５は、固定用具３０の下面に回転可能に設けられている。そのため、使用しない場合には、回転させて台座部３１から外に飛び出さないように収納しておき、使用する場合には回転させて台座部３１の外側に突出させることが可能な構成となっている。押さえ板３４、３５が台座部３１の下側に収納されている状態を図４に示す。
【００３６】
そして、この押さえ板３４、３５は、敷布団の下に潜り込ませるようにして使用される。なお、この押さえ板３４、３５と台座部３１を別々に構成することなく一体の構成としても良い。このような場合には、台座部３１の一部が敷布団の下に潜り込ませるようになっていることとなる。また、台座部３１を薄い板により構成して長い板状とすれば、台座部３１自体を敷布団の下に潜り込ませるようにすることも可能である。
【００３７】
本実施形態の寝具では、押さえ板３４、３５を敷布団の下に潜り込ませることにより、就寝中の使用者の体重により敷布団と床との間で押さえ板３４、３５が固定されるため、固定用具３０に大きな重量を持たせることなく固定用具３０を動かないようにすることが可能となる。
【００３８】
次に、本実施形態の寝具を実際に使用した際の様子を図５の斜視図を参照して説明する。
【００３９】
図５に示されるように、敷布団４０の上に横になった使用者の左肩は左用寝具１０により覆われ、右肩は右用寝具２０により覆われている。そして、この左用寝具１０、右用寝具２０は、それぞれクリップ３２、３３により固定用具３０に固定されている。そして、左用寝具１０と右用寝具２０は、就寝中の使用者の中央付近で重なり合っている。そして、夏場等以外の例えば冬場の季節であれば、さらにこの上に点線で示されたように掛布団５０が掛けられて使用される。なお、この図５では、説明を分かり易くするために、掛布団５０を点線にて示している。
【００４０】
本実施形態の寝具によれば、就寝中の使用者の両肩は、左用寝具１０、右用寝具２０の肩当て部により覆われているため、冷たい外気にさらされることなく保温することが可能となっている。また、本実施形態の寝具によれば、この左用寝具１０、右用寝具２０は、固定用具３０に固定されているため、就寝中の使用者が寝返りを打った場合でも、ずれてしまうようなことはない。さらに、この左用寝具１０、右用寝具２０は、就寝中の使用者の肩部を上から覆っているだけであるため、不必要な圧迫感を与えることがない。
【００４１】
なお、実際に就寝しようとする使用者が寝る準備を行う場合には、先ず、敷布団４０を敷いて、固定用具３０を所定の位置にセットする。そして、左用寝具１０および右用寝具２０を固定用具３０に固定する。そして、掛布団５０を足元の辺りに半分折りにして準備しておく。
【００４２】
この状態で就寝しようとする使用者は、先ず足を掛布団５０の中に入れ敷布団４０の上に横になった状態で、左用寝具１０および右用紙寝具２０を手にとって自分の体の上に掛けるようにする。この際、左用寝具１０および右用紙寝具２０は既に固定用具３０に固定されているため、使用者は単に、左用寝具１０および右用紙寝具２０を引っ張るようにして自分の体の上に掛けるだけでよい。
【００４３】
最後に、使用者は、足元に半分折りにしてあった掛布団５０を上半身の上に掛けるようにすることにより、図５に示すような就寝のための準備が完了する。
【００４４】
上記で説明した理由により、本実施形態の寝具によれば、就寝中の人体の肩部付近を覆うことができるとともに、他人の手助けを必要とせずに１人で容易に寝るための準備をすることが可能になる。
【００４５】
また、図５の斜視図におけるＡ−Ａ’面の断面図を図６に示す。図６を参照すると、固定用具３０に固定された左用寝具１０が就寝中の使用者の肩を覆うようにして上半身に掛けられているのが分かる。
【００４６】
そして、固定用具３０の押さえ板３４は敷布団４０に下に潜り込むように挿入されているのが分かる。そして、左用寝具１０が固定用具３０のクリップ３２により固定されている。この左用寝具１０は枕６０とともに就寝中の使用者の左肩とともに上半身を覆っている。
【００４７】
上記で説明したように、本実施形態の寝具によれば、左用寝具１０および右用寝具２０は、ともに固定用具３０に固定されている。そのため、枕に肩あて部を固定するような従来の寝具と比較して、固定するための手段が設けられた専用の枕を用意したり、枕に固定するための加工を行う必要がない。その結果、本実施形態の寝具によれば、何の加工等をすることなく各自の枕や一般的な枕をそのまま使用することが可能となる。また、同様の理由により、本実施形態の寝具によれば、敷布団にもいかなる加工も行う必要が無いため、一般的な敷布団をそのまま使用することが可能である。
【００４８】
また、本実施形態では、畳等の上に敷布団を敷くような場合を用いて説明しているが、ベット上に敷く寝具に対しても同様に本発明を適用することができる。そして、本実施形態の寝具では、左右用の寝具がそれぞれ独立しているため、例えば、病院や各種介護施設等において横になった状態の病人や要介護者のケアや介護を行う際に、側面からの作業を容易に行うことが可能となる。つまり、左側からケヤや介護を行う場合には、左用寝具のみをめくるようにすれば良く、右側からケヤや介護を行う場合には、右用寝具のみをめくるようにすれば良いからである。
【００４９】
さらに、本実施形態の寝具は、使用対象者のサイズに合わせて各種寸法を設定することが可能であり、例えば、子供用、幼児用、使用者の体格、身長等により様々なサイズに設定することが可能である。
【００５０】
（第２の実施形態）
次に、本発明の第２の実施形態の寝具について説明する。上記で説明した第１の実施形態の寝具は、１人の使用者のみが使用する、いわゆるシングルの寝具に対して本発明を適用したものであった。これに対して、本発明の第２の実施形態は、２人の使用者が１つの寝具を共用して就寝する、いわゆるダブルの寝具に対して本発明を適用したものである。
【００５１】
本実施形態の寝具は、図７に示すように、左用寝具１０と、右用寝具２０と、中央用寝具７０と、固定用具８０とから構成されている。なお、図７中において、図１中の構成要素と同じものについては同じ符号を用いている。
【００５２】
本実施形態の寝具は、２人の使用者により使用されるため、この２人の使用者をそれぞれ、第１の人体、第２の人体として表現する。
【００５３】
左用寝具１０および右用寝具２０は、上記で説明した第１の実施形態におけるものと同一のものとなっている。そして、右用寝具２０の肩当て部は、就寝中の第１の人体の右肩を覆い、左用寝具１０の肩当て部は、就寝中の第２の人体の左肩を覆う。
【００５４】
そして、中央用寝具７０は、就寝中の第１の人体の左肩および就寝中の第２の人体の右肩を覆うための肩当て部を有する。この中央用寝具７０の詳細な構成については後述する。
【００５５】
そして、本実施形態の寝具における固定用具８０は、右用寝具２０の肩当て部の上端、中央用寝具７０の肩当て部の上端および左用寝具１０の肩当て部の上端をそれぞれ脱着可能なように固定する。この固定用具８０の詳細な構成についても後述する。
【００５６】
先ず、図７中に示した中央用寝具７０の構成を図８を参照して説明する。
【００５７】
中央用寝具７０には、図８に示すように、就寝中の第１の人体の左肩および就寝中の第２の人体の右肩を覆うための肩当て部７１が設けられている。なお、この中央用寝具７０の材質等の構成については、左用寝具１０および右用寝具２０と同様であるため、その説明は省略する。
【００５８】
次に、図７中に示した固定用具８０の構成を図９を参照して説明する。
【００５９】
本実施形態における固定用具８０は、図９に示されるように、台座部８１と、この台座部８１の上面に設けられた３つのクリップ（固定部材）８２、３２、３３と、台座部８１の下面に設けられた押さえ板３４、３５とから構成されている。
【００６０】
本実施形態における固定用具８０は、図３に示した第１の実施形態における固定用具３０に対して、横方向の長さを長くするとともに、クリップ８２が中央に設けられた点が異なっている。
【００６１】
そして、このクリップ８２は、中央用寝具７０の肩当て部７１の上端を挟むことにより台座部８１に固定する。図９中に示したクリップ３２、３３、押さえ板３４、３５の構成および機能は、図３に示したものと同様であるためその説明は省略する。
【００６２】
次に、本実施形態の寝具を実際に使用した際の様子を図１０の斜視図を参照して説明する。
【００６３】
図１０に示されるように、敷布団４１の上に横になった使用者（第２の人体）１０２の左肩は左用寝具１０により覆われ、別の使用者（第１の人体）１０１の右肩は右用寝具２０により覆われている。そして、第２の人体１０２の右肩および第１の人体１０１の左肩は、中央用寝具７０により覆われている。そして、この左用寝具１０、右用寝具２０、中央用寝具７０は、固定用具８０にクリップ３２、３３、８２により固定されている。そして、左用寝具１０、右用寝具２０と中央用寝具７０とは、就寝中の２人の使用者（第１および第２の人体）１０１、１０２の中央付近でそれぞれ重なり合っている。
【００６４】
本実施形態の寝具によっても、上記で説明した第１の実施形態の寝具と同様に、就寝中の２人の使用者の肩部付近を覆うことができるとともに、他人の手助けを必要とせずにそれぞれ各自で寝るための準備を容易にすることが可能となる。
【００６５】
[変形例]
上記実施形態では、クリップ３２、３３、８２により、左用寝具１０、右用寝具２０、中央用寝具７０の上端を固定する場合を用いて説明したが、本発明はこれに限定されるものではなく、左用寝具１０、右用寝具２０、中央用寝具７０を固定可能な構成であれば、例えば、ホック、ボタン、面ファスナー、磁石、バインダー等の他の固定部材により固定する場合でも同様に本発明を適用することができるものである。
【符号の説明】
【００６６】
１０    左用寝具
１１    肩当て部
２０    右用寝具
２１    肩当て部
３０    固定用具
３１    台座部
３２、３３    クリップ
３４、３５    押さえ板
４０、４１    敷布団
５０、５１    掛布団
６０    枕
７０    中央用寝具
７１    肩当て部
８０    固定用具
８１    台座部
８２    クリップ
１０１    使用者（第１の人体）
１０２    別の使用者（第２の人体）
【図１】
2013078461.tif 000003
【図２】
2013078461.tif 000004
【図３】
2013078461.tif 000005
【図４】
2013078461.tif 000006
【図５】
2013078461.tif 000007
【図６】
2013078461.tif 000008
【図７】
2013078461.tif 000009
【図８】
2013078461.tif 000010
【図９】
2013078461.tif 000011
【図１０】
2013078461.tif 000012
【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
就寝中の人体の右肩を覆うための肩当て部を有する右用寝具と、
就寝中の人体の左肩を覆うための肩当て部を有する左用寝具と、
一部が敷布団の下に潜り込ませるようになっている台座部と、弾性部材により前記台座部に対して押し付けられるように付勢された第１および第２の固定部材とにより構成され、前記第１の固定部材は前記右用寝具の肩当て部の上端を前記台座部に脱着可能なように固定し、前記第２の固定部材は前記左用寝具の肩当て部の上端を前記台座部に脱着可能なように固定する固定用具と、
を有する寝具。
【請求項２】
前記右用寝具および前記左用寝具は、就寝中の人体の上半身のみを覆うような長さに設定されている請求項１記載の寝具。
【請求項３】
就寝中の第１の人体の右肩を覆うための肩当て部を有する右用寝具と、
就寝中の前記第１の人体の左肩および就寝中の第２の人体の右肩を覆うための肩当て部を有する中央用寝具と、
就寝中の前記第２の人体の左肩を覆うための肩当て部を有する左用寝具と、
一部が敷布団の下に潜り込ませるようになっている台座部と、弾性部材により前記台座部に対して押し付けられるように付勢された第１、第２および第３の固定部材とにより構成され、前記第１の固定部材は前記右用寝具の肩当て部の上端を前記台座部に脱着可能なように固定し、前記第２の固定部材は前記中央用寝具の肩当て部の上端を前記台座部に脱着可能なように固定し、前記第３の固定部材は前記左用寝具の肩当て部の上端を前記台座部に脱着可能なように固定する固定用具と、
を有する寝具。